(57)【特許請求の範囲】
【請求項１】
多シリンダ型の内燃機関に用いられる吸気管ユニット（１０）であって、
−吸気分配器（１２）が設けられており、
−相並んで配置された複数の第１の個別吸気管（１３）が設けられており、該第１の個別吸気管（１３）が、前記吸気分配器（１２）を起点として、それぞれ１つのシリンダにまで延びており、
−短めの複数の第２の個別吸気管（１４）が設けられており、該第２の個別吸気管（１４）が、前記吸気分配器（１２）を起点として、それぞれ１つの第１の個別吸気管（１３）に開口しており、
−第２の個別吸気管（１４）を遮断・開放するための切換エレメント（１５）が設けられており、
−該切換エレメント（１５）が少なくとも２つのフラップ（１６）を有しており、該フラップ（１６）が１つの軸（１９）に配置されていて、１つの共通の切換エレメントフレーム（１８）内に導入されており、
−さらに切換エレメント（１５）が、完全なユニットとして当該吸気管ユニット（１０）内に密に導入されている
形式のものにおいて、
前記軸（１９）が、フラップフレーム（１７）により取り囲まれたフラップ（１６）および切換エレメントフレーム（１８）と共に組立て射出成形技術で製造されていることを特徴とする吸気管ユニット。
【請求項２】
切換エレメント（１５）が、成形の完了した当該吸気管ユニット（１０）に設けられた開口（２１）内に密に押し込まれている、請求項１記載の吸気管ユニット。
【請求項３】
当該吸気管ユニット（１０）が、切換エレメント（１５）に密に一体射出成形されている、請求項１記載の吸気管ユニット。
【請求項４】
当該吸気管ユニット（１０）が、少なくとも２つの型半部を有しており、該型半部の間に切換エレメント（１５）が密に導入されている、請求項１または２記載の吸気管ユニット。
【請求項５】
切換エレメント（１５）が、前記型半部の間に溶接により密に導入されている、請求項４記載の吸気管ユニット。
【請求項６】
多シリンダ型の内燃機関に用いられる吸気管ユニット（１０）であって、
−吸気分配器（１２）が設けられており、
−複数の個別吸気管（１３′）が設けられており、該個別吸気管（１３′）が、前記吸気分配器（１２）を起点として、少なくとも１つのシリンダヘッドフランジにまで延びており、
−前記個別吸気管（１３′）により形成された横断面の一部を遮断・開放するための切換エレメント（１５′）が設けられており、
−該切換エレメント（１５′）が少なくとも２つのフラップ（１６）を有しており、該フラップ（１６）が１つの軸（１９）に配置されていて、１つの共通の切換エレメントフレーム（１８）内に導入されており、
−さらに切換エレメント（１５′）が、完全なユニットとして当該吸気管ユニット（１０）に設けられた収容部（２４）内に密に導入されている
形式のものにおいて、
前記軸（１９）が、フラップフレーム（１７）により取り囲まれたフラップ（１６）および切換エレメントフレーム（１８）と共に組立て射出成形技術で製造されていることを特徴とする吸気管ユニット。
【請求項７】
当該吸気管ユニット（１０）が、シリンダヘッドフランジの接続面（２９）の一部を形成している、請求項６記載の吸気管ユニット。
【請求項８】
切換エレメント（１５′）に、シリンダヘッドフランジに設けられた固定用孔のための複数の組付けブシュ（２７）が設けられており、該組付けブシュ（２７）が応力緩和なしの材料から成っている、請求項６または７記載の吸気管ユニット。
【請求項９】
フラップ（１６）が１つまたは複数のスプールから成っており、該スプールが、前記軸（１９）に沿って並進的に移動可能に切換エレメントフレーム（１８ａ，１８ｂ）内に配置されている、請求項１から８までのいずれか１項記載の吸気管ユニット。
【請求項１０】
前記スプールがばね鋼から製造されている、請求項９記載の吸気管ユニット。
【請求項１１】
前記スプールが、駆動装置である、両側で作用するシリンダに結合されている、請求項９または１０記載の吸気管ユニット。
【発明の詳細な説明】
【０００１】
本発明は、請求項１の上位概念部に記載の形式の、多シリンダ型の内燃機関に用いられる吸気管ユニットに関する。
【０００２】
背景技術
ドイツ連邦共和国特許出願公開第４３４４５０４号明細書に基づき公知の吸気管ユニットは、多シリンダ型の内燃機関のために管状の吸気分配器を有している。この吸気分配器からは第１の複数の個別吸気管が延びており、これらの個別吸気管は個々のシリンダに通じている。短めの第２の個別吸気管は同じく吸気分配器を起点として延びていて、それぞれ対応する第１の個別吸気管に開口している。吸気分配器と、第１の個別吸気管および第２の個別吸気管とは１つの一体の構成部分により形成されており、この構成部分は、シリンダのための第２の個別吸気管に交差する長手方向孔を有している。この長手方向孔には、切換ドラムが挿入されている。この切換ドラムはそれぞれ第２の個別吸気管のために貫通孔を有している。切換ドラムの回転によってこの貫通孔を当該の第２の個別吸気管と合致させるか、または当該の第２の個別吸気管との合致状態から解除することができる。
【０００３】
しかし、切換ドラムのシール性は付加的なシールエレメント、たとえばシールリングまたはシールケージの使用によってしか保証されない。しかし、組付け時にこれらのシールエレメントがひっかかる恐れがあり、このことは組付けを複雑にする。さらに、シールエレメントの設計および製造は、所要のシール力を得るために高度の慎重性と調整を要する。さらに、切換ドラムのがたつきも回避されなければならない。
【０００４】
さらに、欧州特許出願公開第０７４７５８７号明細書に基づき、吸気管の管長さを制御フラップによって調節するための制御装置が公知である。制御フラップはガイドリング内に回転可能に支承されている。このガイドリングは制御フラップと一体に形成されている。制御フラップには、互いに反対の側に位置する２つの支承ジャーナルが一体成形されており、これらの支承ジャーナルがガイドリングを貫通している。
【０００５】
しかし、このような構成では、極めて多くの組込みスペースが必要となり、したがって、このような構成は制限された組込みスペースを有する構造では使用不可能となる。
【０００６】
ドイツ連邦共和国特許出願公開第１９５３９０４２４号明細書には、エンジン側のフランジを有する、内燃機関のための吸気管ユニットが開示されている。エンジン側のフランジは、集合室を起点として延びる吸気管と、シリンダヘッドフランジとに結合されている。シリンダヘッドフランジに固定するためには、モータ側のフランジが組付けブシュを有している。集合室は調節可能な分離エレメントにより分割されており、この分離エレメントは吸気管の集合室を分離するか、または接続することができ、これによりシリンダへの過給効果に影響が与えられる。
【０００７】
エンジン側のフランジは、吸気管ユニットをシリンダヘッドフランジに固定するために使用される。しかし、この構成部分は大きな容積を有していて、部品重量を高めると同時に、さらに組付けの手間も複数の構成部分の使用により増大する。過剰手間および個別構成部分の点数増大に基づき、吸気管ユニットの構成部分にかかるコストは一層高くなる。
【０００８】
本発明の課題は、冒頭で述べた形式の吸気管ユニットを改良して、小さな組込みスペースと、簡単な組付けと、最小限の漏れとを廉価に可能にすることのできる吸気管ユニットを提供することである。
【０００９】
この課題は、請求項１の特徴部に記載の特徴により解決される。
【００１０】
発明の利点
本発明による切換エレメントは複数のフラップを有しており、これらのフラップは１つの軸に沿って配置されていて、かつ１つの共通の切換エレメントフレーム内に導入されている。本明細書において「フラップ」とは、広義の閉鎖エレメント、特に旋回フラップおよび並進的に移動させられるスプールを意味する。この切換エレメントは完全なユニットして形成されており、このユニットが吸気管ユニット内に密に導入されている。各フラップは周囲の構成部分と接触する小さな周面しか有していないので、有効シール長さは極めて小さくなる。一貫して延びる１つの軸に沿ってフラップを配置することにより、この軸は付加的な支承個所やフラップの相互結合個所なしに直接に切換エレメントフレーム内に支持することができる。これにより、切換エレメントは小さな組込みスペースのためにも適している。
【００１１】
切換エレメントが、吸気管ユニットに設けられた開口内に押し込まれて固定されていると有利である。したがって、簡単な組付けが可能となり、そして必要に応じて切換エレメントを交換することができる。
【００１２】
本発明の別の構成では、吸気管ユニットが切換エレメントに直接に密に一体射出成形されている。この場合、固定ユニット、シール手段および組付け過程を不要にすることができる。
【００１３】
切換エレメントを吸気管ユニット内に導入するためのさらに別の構成では、吸気管ユニットが２つの型半部で形成されている。両型半部の間には、切換エレメントが、たとえば一方の型半部との螺合またはスナップ結合によって密に導入されている。次いで、両型半部はシール部材の使用下に、たとえばねじ締結により嵌め合わせることができる。
【００１４】
本発明の特別な構成では、両型半部が切換エレメントと溶接されている。この場合、切換エレメントは収容部内に挿入され、引き続き吸気管半部が互いに密に溶接される。これにより、切換エレメントは吸気管ユニット内に位置固定されている。このような構成では、各構成部分の間に漏れが生じないように切換エレメントが収容部内に挿入されている。さらに、この構成では、両吸気管半部の間のシールシステムが不要となる。
【００１５】
上記課題を解決するための本発明の択一的な別の構成は、吸気分配器と、この吸気分配器を起点として延びる複数の個別吸気管と、切換エレメントとを備えた吸気管ユニットに認められる。この場合、切換エレメントは完全なユニットとして、吸気管ユニットに設けられた収容部内に導入されていて、シリンダヘッドフランジに接続されている。切換エレメントは流過横断面を閉鎖するか、または開放するために働く。流過横断面の開放については、種々の変化形が考えられる。たとえば、個別吸気管により形成された流過横断面の完全な開放が考えられる。しかし、流過横断面の部分的な開放も考えられ、この場合、フラップの開放位置により、個々のシリンダ内の充填度に影響を与える渦流（スワール）を発生させることができる。
【００１６】
さらに別の変化形では、２つの流過横断面が使用される。両流過横断面は同一の個別吸気管に続いていて、したがって必要に応じて全流過横断面を増大させるか、または減少させることができる。一方の流過横断面を完全に閉鎖することにより、空気は他方の流過横断面を通って流れなければならなくなる。閉鎖された流過横断面の開放により、個別吸気管の全流過横断面は増大させられ、したがって、より多くの空気が通流できるようになる。切換エレメントのための吸気管ユニットに設けられた収容部は、切換エレメントが密に導入されるように形成されている。切換エレメントは吸気管ユニットとシリンダヘッドフランジとの間の結合を形成しており、この場合、吸気管ユニットはシリンダヘッドフランジとの接触部を有しなくて済む。
【００１７】
本発明のさらに別の構成では、シリンダヘッドフランジに対する吸気管ユニットの接続面が設けられている。この場合、切換エレメントのための収容部は、この接続面が収容部に一体成形され、かつ吸気管ユニットの接続面がシリンダヘッドフランジに接続するように形成されている。
【００１８】
吸気管ユニットのさらに別の構成では、切換エレメントに組付けブシュが設けられている。これらの組付けブシュは、応力緩和しない材料、たとえば金属またはセラミックスから成っている。組付けブシュは、あとから切換エレメント内に、特に切換エレメントフレーム内に導入することができる。この場合、組付けブシュを切換エレメント内に圧入するか、または流込み成形時に埋め込むことが可能となる。組付けブシュを切換エレメント内に導入するためのさらに別の手段は、組付けブシュを射出成形型内に挿入し、そしてこの組付けブシュをくるむように切換エレメントを射出成形することにある。
【００１９】
本発明の思想の有利な構成では、フラップがフラップフレーム内に導入されている。これにより、フラップフーム内でのフラップの遊びもしくは漏れを調節することができる。次いで、このユニットが切換エレメントフレーム内に導入される。
【００２０】
切換エレメントの特別な構成では、金属から成る切換エレメントフレームを有する切換エレメントが使用される。この構成では、複数の組付けブシュを直接に切換エレメントフレームに一体成形するか、または付加的な構成部分として導入することができる。本発明の別の構成変化形では、たとえば切換エレメントの駆動装置または排ガス再循環路のための取付け点および収容部が設けられている。
【００２１】
フラップがアッセンブリ射出成形技術もしくは組立て射出成形技術（Ｍｏｎｔａｇｅｓｐｒｉｔｚｔｅｃｈｎｉｋ）でフラップフーム内に導入されていると有利である。これにより、フラップフレーム内へのフラップの廉価でかつ最適な嵌入が得られる。
【００２２】
本発明のさらに別の変化形では、金属軸が導入されており、この金属軸にフラップが装着されている。著しい機械的負荷が加えられると、金属軸はプラスチック軸ほど大きくは変形し得ない。フラップは、たとえばプラスチックから１回の射出成形過程で前記軸に被さるように射出成形されるか、または金属から前記軸に、たとえば螺合、リベット締結または溶接により装着され得る。
【００２３】
フラップを備えた軸が、軸のために設けられた収容部内への軸のクリップインまたはねじ込みによって切換エレメントフレーム内に導入されていると有利である。この方法は、フラップフレームが使用される場合にも使用することができる。その場合、フラップフレームは切換エレメントフレームに固定されている。作動エレメント（フラップ、軸、場合によってはフラップフレーム）をくるむように切換エレメントフレームを射出成形することは、既に説明した導入バリエーションに対する別の手段である。
【００２４】
本発明のさらに別の特別な構成では、軸をフラップおよび切換エレメントフレームと共に製造するために組立て射出成形技術が使用される。この場合、フラップフレームが存在する場合には、フラップフレームも一緒に製作することができる。フラップフレームなしの構成では、切換エレメントフレームがフラップフレームの役目を引き受ける。
【００２５】
本発明のさらに別の構成では、フラップが、１つの軸に配置された１つまたは複数のスプール（Ｓｃｈｉｅｂｅｒ）から成っている。これらのスプールはこの軸に沿って並進的に運動させられ、これにより、吸気通路内の開口を閉鎖するか、または開放することができる。このような構成も、既に説明した、小さな所要スペースの利点を有している。複数のスプールが配置されている場合、これらのスプールは軸に沿って互いに連結されなければならない。これによって、全てのスプールの移動が１つの駆動装置によって可能となる。しかし、複数の個別スプールを唯一つの大きなスプールにまとめることも特に有利である。この場合、この大きなスプールはプレートの形でフラップフレーム内に保持されている。この唯一つの大きなスプールは中央で駆動装置によって駆動することができる。
【００２６】
前記スプールがばね鋼から製造されていると有利である。このスプールは特に薄く形成することができ、そしてその弾性率に基づき、切換エレメントフレームの範囲における、ある程度の公差を補償することができる。切換エレメントフレームの組付けによりスプールへ伝達される公差も、ばね鋼から成るスプールを用いて補償することができる。
【００２７】
前記スプールが、２つの側で作用するシリンダ、つまり複動式のシリンダによって制御されることが特に有利である。このことは、特にニューマチックシリンダであってよく、その場合、このニューマチックシリンダは、吸込み管に加えられる圧力差に基づき運動させられる。戻しばねを備えたシリンダに比べて、２つの側で作用するシリンダには、このシリンダがばね力に抗して切換力を加えなくて済むという利点がある。これにより、前記圧力差に基づき加えられなければならない切換力は減じられる。
【００２８】
本発明の有利な改良形に関する上で述べた特徴およびさらに別の特徴は、請求の範囲に記載されている他、明細書および図面からも明らかとなる。この場合、個々の特徴はそれぞれそれ自体または複数の互いに組み合わされた形で本発明の構成および別の分野において実現されていてよい。
【００２９】
以下に、本発明の実施例を図面につき詳しく説明する。
【００３０】
図１には、Ｖ形シリンダ配列を有するエンジンに用いられる吸気管ユニット１０が、図２のＩ−Ｉ線に沿った断面図で図示されている。この吸気管ユニット１は一体のプラスチックハウジング１１を有している。このプラスチックハウジング１１は中央の吸気分配器１２を有しており、この吸気分配器１２を起点として、長短２種類の吸気管、つまり互いに平行に位置する複数の長い吸気管１３と、これらの長い吸気管１３の半径方向内側に配置された複数の短い吸気管１４とが延びている。プラスチックハウジング１１は切換エレメント１５を取り囲んでおり、この切換エレメント１５は複数のフラップ（「バタフライバルブ」とも呼ばれる）１６と、対応するフラップフレーム１７と、切換エレメントフレーム１８と、軸１９とを有している。フラップ１６は、周面に２成分技術（Ｚｗｅｉｋｏｍｐｏｎｅｎｔｅｎｔｅｃｈｎｉｋ）で製造されたシールリップ２３を有している。フラップ位置は軸１９を介して制御される。この軸１９は良好な力伝達を得るために軸端部２０に、たとえば四角形体を有している。フラップ１６は閉鎖された位置では、周囲のフラップフレーム１７によって密に取り囲まれる。軸１９は、この軸１９に沿って各短い吸気管１４の間に漏れが生じないようにフラップフレーム１７内に支承されている。フラップフレーム１７は切換エレメントフレーム１８に密に結合されている。両構成部分は、プラスチックハウジング１１に設けられた方形の開口２１に対する短い吸気管１４のシール性を保証している。開口２１はそれぞれの短い吸気管１４に対する貫通孔を有しており、そして開口２１内には切換エレメント１５が押し込まれている。フラップフレーム１７なしの構成では、フラップフレーム１７の機能が切換エレメントフレーム１８により引き受けられる。
【００３１】
図２には、吸気管ユニット１０が、図１のＩＩ−ＩＩ線に沿った断面図で図示されている。短い吸気管１４は、長い吸気管１３がシリンダ（図示しない）へ開口する出口の直前でこれらの長い吸気管１３に開口している。両吸気管１３，１４は中間壁２２によってそれぞれ互いに分離されており、この中間壁２２は圧力補償を阻止している。フラップ１６が閉鎖されるやいなや、短い吸気管１４にはもはや吸込空気が通流し得なくなる。したがって、吸込空気は長い吸気管１４を通って流れなければならない。フラップ１６が開放された状態では、吸込空気は短い吸気管１４を通って流れることができる。短い吸気管１４はその長さに基づき、長い吸気管１３よりも小さな流れ抵抗しか有しない。図２には、図１に示したシールリップ２３が図示されていない。
【００３２】
図３には、切換エレメント１５を構成するための別の実施例が図示されている。この変化実施例では、切換エレメントフレーム１８が円筒体として形成されていて、円筒状の開口２１内に押し込まれている。フラップ１６は上で説明した構成の場合と同様に、やはり切換エレメントフレーム１８内に配置されたフラップフレーム１７内に密に導入されている。
【００３３】
図４には、吸気管ユニット１０′が斜視図で図示されている。この吸気管ユニット１０′は主としてプラスチックハウジング１１と切換エレメント１５′とを有している。プラスチックハウジング１１は吸気分配器１２と、この吸気分配器１２を起点として延びる、中間壁２２により互いに分離されている複数の長い吸気管１３′と、切換エレメント１５′のための収容部２４とを有している。切換エレメント１５′は切換エレメントフレーム１８と、複数のフラップ１６と、一体の軸１９とにより形成され、この場合、これらの構成部材はアルミニウムから成っている。切換エレメント１５′は各長い吸気管１３′のために、それぞれ第１の流過横断面２５と第２の流過横断面２６とを有している。第１の流過横断面２５は閉鎖することができない。つまり、第１の流過横断面２５は常に空気を通流させることができる。第２の流過横断面２６はフラップ１６によって開閉することができる。したがって、完全に開放された状態では、閉鎖された状態、つまり空気が第１の流過横断面２５を通じてしか流れ得ない状態に比べて、著しく大きな空気量が両流過横断面２５，２６を通って流れるようになる。切換エレメント１５′は、シリンダヘッドフランジ（図示しない）に固定するための複数の組付けブシュ２７を有している。これらの組付けブシュ２７は切換エレメントフレーム１８に組み込まれている。切換エレメントフレーム１８が応力緩和性（ｒｅｌａｘｉｅｒｅｎｄ）の材料から成る場合には、組付けブシュ２７が、応力緩和（リラクセーション）なし（ｒｅｌａｘａｔｉｏｎｓｆｒｅｉ）の材料から成る嵌入部分もしくは圧入部分として導入される。さらに、切換エレメント１５′はアダプタプレート２８を有している。このアダプタプレート２８には、たとえば軸１９のための駆動装置を固定することができる。収容部２４は、この収容部２４がシリンダヘッドフランジ（図示しない）に対する接続面２９を有するように形成されている。第１の流過横断面２５および第２の流過横断面２６は、環状のシール部材３０によって取り囲まれる。このシール部材３０の作用に基づき、それぞれ長い吸気管１３′の相並んで配置された流過横断面同士の間に漏れ空気流が生じることが阻止される。
【００３４】
図５には、吸気管ユニット１０の一部が断面図で図示されている。プラスチックハウジング１１は複数の長い吸気管１３′と中間壁２２とを形成している。切換エレメント１５′はプラスチックハウジング１１に設けられた収容部２４内に導入されている。この実施例では、収容部２４が、図６に示したようなシリンダヘッドフランジ（図示しない）に対する接続面２９を有していない。吸気管１３′を互いにシールするためには、第１の流過横断面２５と第２の流過横断面２６とにより形成される各流過横断面対を取り囲むように、それぞれシール部材３０が設置されている。各吸気管１３′のためには、それぞれ２つのシール部材３０が必要となる。すなわち、第１のシール部材３０がプラスチックハウジング１１に対して切換エレメント１５′をシールし、第２のシール部材３０がシリンダヘッドフランジ（図示しない）に対して切換エレメント１５′をシールする。フラップ１６は一貫して延びる１つの軸１９に固定されている。この軸１９は切換エレメントフレーム１８内に回転可能に支承されていて、アダプタプレート２８に固定された駆動装置３１によって駆動される。
【００３５】
図６には、吸気管ユニット１０が、図５のＩＩＩ−ＩＩＩ線に沿った断面図で図示されている。プラスチックハウジング１１には、切換エレメント１５′のための収容部２４が一体成形されている。この収容部２４は接続面２９を有しており、この接続面２９は切換エレメントフレーム１８と同一の高さに位置している。互いに異なる材料に基づき、切換エレメント１５′とプラスチックハウジング１１とは温度変動時に互いに異なる熱膨張特性を示す。収容部２４内での不都合な応力および場合によっては生じる損傷を回避するためには、膨張緩衝部として働くギャップ３２が設けられている。
【００３６】
図７には、上側部分１８ａと下側部分１８ｂとから形成された切換エレメントフレームが図示されている。この切換エレメントフレーム１８ａ，１８ｂ内には、スプール１０９が軸１９に沿って並進的に摺動可能に導入されている。このような切換エレメントは、図１に示した吸気管においても、図１の構成で使用されている切換エレメントフレームの代わりに使用することができ、また図４に示した吸気管においても使用することができる。
【００３７】
切換エレメントフレーム１８ａ，１８ｂおよびスプール１０９により、１つの切換モジュールが得られる。この切換モジュールは、下側部分１８ｂと、この下側部分１８ｂに一体に射出成形されたニューマチックシリンダ１０２とを有している。このニューマチックシリンダ１０２内には、推動ロッド１０４を備えたピストン１０３が挿入される。推動ロッド１０４はラジアルシール部材１０５によってシールされ、ピストン１０３は別のシールエレメント１０６によってシールされる。ニューマチックシリンダ１０２には、接続部１０８を備えたカバー１０７が係止されているか、またはねじ込まれていてよい。ばね鋼から製作されているスプール１０９が嵌め込まれ、この場合、スプール１０９と推動ロッド１０４との間の結合を、たとえばリベット結合部１１０によって行うことができる。切換エレメントフレームの上側部分１８ａおよび下側部分１８ｂが互いに係止される。この場合、両部分は、スプール１０９が遊びなくかつそれにもかかわらずスムーズに運動し得るように形成されている。このためには、図８に示したいぼ状の案内突起１１５が働く。
【００３８】
図８からは、スプール１０９の構造も判る。このスプール１０９は複数の窓１１６を有しており、これらの窓１１６は並進的な運動時に、閉鎖したい吸気通路の横断面１１７を越えて移動する。これにより、吸気通路の無段式の閉鎖手段もしくは完全な閉鎖手段が与えられている。このスプール１０９を運動させるためには、たとえば４ポート２位置弁１１４によってニューマチックシリンダ１０２を制御することができる。
【００３９】
切換エレメントフレーム１８ａ，１８ｂは吸気管のプラスチックハウジング１１内に押し込まれている。このプラスチックハウジング１１は部分的にしか図示されていない。切換エレメントフレーム１８ａ，１８ｂを組み込むための開口２１は軽度の円錐状に形成されており、これによりプラスチックハウジング１１内での切換エレメントフレーム１８ａ，１８ｂの信頼性の良い当付けが成立する。これにより、組付け時における個々の構成部分の公差の作用を低減することができる。
【図面の簡単な説明】
【図１】  吸気管ユニットの縦断面図である。
【図２】  吸気管ユニットの横断面図である。
【図３】  図２のＸで示した部分に相当する、切換エレメントの変化実施例を示す断面図である。
【図４】  吸気管ユニットの斜視図である。
【図５】  吸気管ユニットの一部を示す断面図である。
【図６】  吸気管ユニットの一部を示す断面図である。
【図７】  スプールとして形成されたフラップを備えた切換エレメントフレームを、吸気管内に組み込まれた状態で示す断面図である。
【図８】  図７に示した切換エレメントフレームを、組み込まれた状態で示す平面図である。
【符号の説明】
１０，１０′  吸気管ユニット、１１  プラスチックハウジング、１２  吸気分配器、１３，１３′，１４  吸気管、１５，１５′  切換エレメント、１６  フラップ、１７  フラップフレーム、１８  切換エレメントフレーム、１８ａ  上側部分、１８ｂ  下側部分、１９  軸、２０  軸端部、２１  開口、２２  中間壁、２３  シールリップ、２４  収容部、２５，２６  流過横断面、２７  組付けブシュ、２８  アダプタプレート、２９  接続面、３０  シール部材、３１  駆動装置、３２  ギャップ、１０２  ニューマチックシリンダ、１０３  ピストン、１０４  推動ロッド、１０５  ラジアルシール部材、１０６  シールエレメント、１０７  カバー、１０８  接続部、１０９  スプール、１１０  リベット結合部、１１４  ４ポート２位置弁、１１５  案内突起、１１６  窓、１１７  横断面
【図１】
0004528473.tif 000002
【図２】
0004528473.tif 000003
【図３】
0004528473.tif 000004
【図４】
0004528473.tif 000005
【図５】
0004528473.tif 000006
【図６】
0004528473.tif 000007
【図７】
0004528473.tif 000008
【図８】
0004528473.tif 000009